(57)【特許請求の範囲】
【請求項１】
壁紙糊付機とともに壁紙裁断装置とを備え、糊付機本体においては糊付ローラにより壁紙に糊付を行い、壁紙裁断装置においては糊付けに先立って所定巾に裁断する自動糊付機であって、
壁紙裁断装置は、壁紙裁断装置に設けたフック片と弾性係止部で壁紙糊付機にワンタッチ装着脱可能に設けられた構成であって、
フック片は壁紙糊付機の下部ステーに装着されて取り付けられる構成とし、
上記フック片の上方においてフック片の先端方向または根元方向へ移動可能な脱落防止ストッパーを有する
ことを特徴とする壁紙糊付機。
【請求項２】
脱落防止ストッパーをフック片と接続する弾性体を設け、フック片の先端方向または根元方向へ移動させても定常位置へ戻る構成としたことを特徴とする請求項１記載の壁紙糊付機。
【請求項３】
脱落防止ストッパーをフック片の先端方向または根元方向へ移動可能とする構成として、フック片に円弧状のガイド溝またはガイド突起を設け、脱落防止ストッパーには上記ガイド溝を設けた場合には、そのガイド溝に嵌合するガイド部、ガイド突起を設けた場合には、上記ガイド突起に嵌合するガイド溝を有して、脱落防止ストッパーをフック片の先端方向または根元方向へ移動可能としたことを特徴とする請求項１または請求項２記載の壁紙糊付機。
【発明の詳細な説明】
【技術分野】
【０００１】
本発明は、壁紙糊付機に関するものである。さらに詳しくは、壁紙糊付機に着脱自在に設けられているスリッターが、壁紙糊付機の運搬中に衝撃などによって装着が外れることを防止する壁紙糊付機に関するものである。
【背景技術】
【０００２】
従来より壁紙糊付機は自動壁紙糊付機や手動壁紙糊付機が知られており、それらの糊付機に着脱自在に設けられた壁紙裁断装置であるスリッターもよく知られている。
【０００３】
本出願人も、種々の提案をしており、下記に特許文献１として記載する自動糊付機において、糊付機本体とともに壁紙裁断装置とを備え、糊付機本体では糊付ロールによりクロスに糊付し、壁紙裁断装置においては糊付けに先立って所定巾に裁断する自動糊付機であって、糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされていることを特徴とする自動糊付機として提案してもいる。
【先行技術文献】
【特許文献】
【０００４】
【特許文献１】特許第３６３２８６７号公報
【発明の開示】
【発明が解決しようとする課題】
【０００５】
壁紙糊付機は、壁紙を施工する現場に持ち込んで糊付けを行い、壁紙に糊がなじむ所定のオープンタイムを経過させた後に、壁面へ貼り付けをされている。
【０００６】
上記したワンタッチ装着脱自在に設けられている壁紙裁断装置は使い勝手が良いとの評価を受けており、壁装職人の事務所から自動車に積込みする際や自動車から現場への移動の際、現場内で糊付機の場所を移動させたりする際に、壁紙裁断装置を壁紙糊付機に装着した状態で移動したり、壁紙糊付機の本体と壁紙裁断装置を分割した状態で移動させたりと壁装職人が任意に選択して使い勝手の良い状態を選んで移動させている。
【０００７】
壁紙糊付機の本体には着脱自在な折りたたみ可能の脚部が設けられ、この脚部には使用状態においては移動のためのキャスターが設けられているので、自動車を駐車した場所から施工現場まで距離がある場合においては、壁紙糊付機の脚部を使用状態にしてキャスターを接地させて移動させていることが通常である。
【０００８】
このキャスターを接地させて壁紙糊付機の取手を引いたり、押したりして移動させているときに、不注意などから歩道などの段差を勢いよく通過させてしまうことがあった。このような場合に、１０ｃｍ以上の段差を落ちることになり、段差を落ちてキャスターが接地したときの衝撃が壁紙裁断装置の弾性狭持フック片（上記特許文献１の図１あるいは図２の符号８１２）に伝わり、弾性狭持フック片の係止が外れてしまい、さらに衝撃によって壁紙裁断装置が上方に浮き上がってしまってフック片（上記特許文献１の図１あるいは図２の符号８１１）が上部ステーから外れてしまい、壁紙裁断装置が壁紙糊付機から脱落してしまうということが発生していた。
【０００９】
壁紙裁断装置が壁紙糊付機から脱落してしまうと、壁紙裁断装置のフレーム部を地面に強打してしまうこととなり、フレーム部の割れが発生したりして使用不能となってしまうことにつながっていた。
【００１０】
また、壁紙裁断装置が壁紙糊付機から脱落してしまうという状態は、脚部を折りたたんだ状態で自動車に積込みした状態でも、大きな段差を自動車で通過してしまった場合などにも起きることがあり、積込みしている工具や資材、あるいは壁紙裁断装置に思わぬ損傷が発生してしまう可能性があったのである。
【課題を解決するための手段】
【００１１】
上記の課題を解決するために本発明は、壁紙糊付機とともに壁紙裁断装置とを備え、糊付機本体においては糊付ローラにより壁紙に糊付を行い、壁紙裁断装置においては糊付けに先立って所定巾に裁断する自動糊付機であって、壁紙裁断装置は、壁紙裁断装置に設けたフック片と弾性係止部で壁紙糊付機にワンタッチ装着脱可能に設けられた構成であって、フック片は壁紙糊付機の下部ステーに装着されて取り付けられる構成とし、上記フック片の上方においてフック片の先端方向または根元方向へ移動可能な脱落防止ストッパーを有することを特徴とする。
【００１２】
また、脱落防止ストッパーをフック片と接続する弾性体を設け、フック片の先端方向または根元方向へ移動させても定常位置へ戻る構成としたことを特徴とする。
【００１３】
さらにまた、脱落防止ストッパーをフック片の先端方向または根元方向へ移動可能とする構成として、フック片に円弧状のガイド溝またはガイド突起を設け、脱落防止ストッパーには上記ガイド溝を設けた場合には、そのガイド溝に嵌合するガイド部、ガイド突起を設けた場合には、上記ガイド突起に嵌合するガイド溝を有して、脱落防止ストッパーをフック片の先端方向または根元方向へ移動可能としたことを特徴とする。
【発明の効果】
【００１４】
本発明により、フック片の上方においてフック片の先端方向または根元方向へ移動可能な脱落防止ストッパーを設けたことによって、壁紙裁断装置の脱落を防止することが可能となる。
【００１５】
脱落防止ストッパーをフック片と接続する弾性体を設け、フック片の先端方向または根元方向へ移動させても定常位置へ戻る構成とすることで、壁紙裁断装置の脱着を行えば、弾性体によって定常位置に脱落防止ストッパーが自然に位置することとなるので、作業者は脱落防止ストッパーが定常位置にあるかどうかについて注意を払う必要もなく、確実に脱落防止を行うことが可能となる。
【図面の簡単な説明】
【００１６】
【図１】壁紙糊付機に壁紙裁断装置が取り付けられた状態を説明する図である。
【図２】（ａ）は壁紙糊付機の側面から見た状態の壁紙裁断装置を示す説明図であり、（ｂ）壁紙裁断装置４のフック片を図２（ａ）の矢印Ｘの方向から見た状態の要部を示した断面の説明図である。
【図３】壁紙糊付機に対して壁紙裁断装置を取付けする方法について説明する図である。
【図４】壁紙糊付機から壁紙裁断装置を取り外す方法について説明する図である。
【発明を実施するための最良の形態】
【００１７】
本発明の実施形態について図面を用いて説明する。壁紙糊付機は本体と脚部から構成される構成、壁紙裁断装置の構成などは従来と同じであるため、壁紙糊付機１の本体と壁紙裁断装置４の着脱と脱落防止の点について図を用いて説明する。
【００１８】
図１は、壁紙糊付機１に壁紙裁断装置４が取り付けられた状態を示す図であり、図２は、壁紙裁断装置４における脱落防止ストッパー１０について説明する図で、図２（ａ）は壁紙糊付機１の側面から見た状態の壁紙裁断装置４であり、図２（ｂ）は壁紙裁断装置４のフック片の構造を図２（ａ）の矢印Ｘの方向から見た状態の断面図を示している。
【００１９】
図１のように、壁紙糊付機１は左右に設けられた上部フレーム２の間に上部ステー２ａが設けられており、その下方の下部フレーム３には下部ピン体８や下部ステー９が設けられている。下部フレーム３も上部フレーム２同様に壁紙糊付機１の左右に設けられている。
【００２０】
壁紙裁断装置４のフック片５には、脱落防止ストッパー１０が設けられており、図２（ｂ）に図示しているように、脱落防止ストッパー１０のガイド部１０ａがフック片５に設けられた円弧状のガイド溝に嵌合して、脱落防止ストッパー１０がフック片５の先端側や逆方向へスライド可能に設けられている。
【００２１】
また、伸縮が可能なバネやゴム等、さらにまた屈曲可能な板バネ等の弾性体６を設けて、図２（ａ）の脱落防止ストッパー１０の位置が定常位置になるようにもしている。弾性体６は片方の端部を脱落防止ストッパー１０に固定し、もう一方の端部をフック片５の上部に固定するとよい。あるいはゴムなどの弾性体を使用する場合は、脱落防止ストッパー１０かフック片５の上部にはピン（図示せず）を設け、そのピンに巻きかけて、端部を重ねて、フック片５の上部か脱落防止ストッパー１０にネジ止めするような構成としても良い。
【００２２】
あるいは、弾性体は１つではなく、２つ使用して、図２（ａ）の位置で弾性体のテンションが釣り合うような状態とすることも可能である。
【００２３】
次に壁紙糊付機１への壁紙裁断装置４の取付けについて図３を、取り外しについて図４を用いて説明する。
【００２４】
図３（ａ）に示すように、壁紙裁断装置４を壁紙糊付機１へ取付けするには、フック片５の先端の最下部分を下部ステー９よりも上にした状態とし、その状態で、フック片５を上部フレーム２に取り付けられている上部ステー２ａと下部フレーム３に取り付けられている下部ステー９の間に入れていく。そしてこのとき、脱落防止ストッパー１０が上部ステー２ａに当接する。
【００２５】
上部ステー２ａに脱落防止ストッパー１０が当接した状態で、図３（ｂ）のようにさらに上部ステー２ａと下部ステー９の間にフック片５を進入させるので、弾性体６が変形（引き延ばされた状態や屈曲した状態）し、脱落防止ストッパー１０のガイド部１０ａがフック片５のガイド溝５ａに沿って移動することによって脱落防止ストッパー１０がフック片５の根元側（壁紙裁断装置４への取付け側）に移動される。
【００２６】
図３（ｃ）のようにフック片５の係止部分が下部ステー９の真上に来るまで侵入させる。このとき、図３（ｃ）に図示しているように、下部ピン体８に対して弾性狭持フック片７が勢いよくはめ込みできる程度に壁紙裁断装置４を傾斜させておく。
【００２７】
次に図３（ｄ）のように壁紙裁断装置４を降下させて、フック片５を下部ステー９に係止させる。そうすると、脱落防止ストッパー１０は、弾性体６が復元することによって、図２（ａ）に示した定常位置に戻ることになる。
【００２８】
そして、フック片５を下部ステー９に係止させた状態で反時計回りの方向へ壁紙裁断装置４を旋回させて下部ピン体８に対して弾性狭持フック片７を嵌合させて取付けを完了させる。
【００２９】
次に壁紙裁断装置４の取り外しについて説明する。図４（ａ）の壁紙裁断装置４の取付けを完了している状態から、図４（ｂ）に図示しているように弾性狭持フック片７の下部ピン体８に対する嵌合を解除するように壁紙裁断装置４をフック片５を下部ステー９に係止させた状態で時計回り方向へ旋回させる。
【００３０】
このとき、に図示した上部ステー２ａの右側の面よりも脱落防止ストッパー１０の左側の面が図面上で右側に位置する状態までフック片５を下部ステー９に係止させた状態で時計回り方向へ旋回させる。
【００３１】
旋回ができたら、図４（ｃ）に図示するように、壁紙裁断装置４を上昇させて、下部ステー９からフック片５を離脱させ、脱落防止ストッパー１０を上部ステー２ａの右側の面に当接させるようにする。
【００３２】
脱落防止ストッパー１０を上部ステー２ａの右側の面に当接させた状態で、壁紙裁断装置４を図面上で左方向に移動させ、上部ステー２ａと下部ステー９の間を進入させたフック片５の先端を離脱させる。このとき、弾性体６が変形（引き延ばされた状態や屈曲した状態）し、脱落防止ストッパー１０のガイド部１０ａがガイド溝５ａに沿った状態で、脱落防止ストッパー１０がフック片５の先端側へ移動する。
【００３３】
フック片５の先端が上部ステー２ａと下部ステー９の間から抜けきると、弾性体６が復元することで、脱落防止ストッパー１０が図２（ａ）の定常位置へ復帰して取り外しが完了する。
【００３４】
なお、上記の実施形態においては、フック片５側にガイド溝５ａを設けた構成で説明したが、フック片５側を円弧状のガイド突起として、脱落防止ストッパー側にそのガイド突起に嵌合する円弧状溝の構成としても良いのである。
【００３５】
またさらに、上記の実施形態においては弾性体６を設けて脱落防止ストッパーが定常位置に弾性体６によって戻る構成にて説明したが、弾性体６を無くした構成としても良い。その場合には、着脱する場合は定常位置から作業者が移動させ、定常位置にあるときには糊付機の運搬中の振動などで定常位置から移動してしまわないようにしておくと良い。運搬の振動で移動しないようにする対策は、具体的には、ガイド溝などに小さな突起を設けておき、ガイド部を作業者が操作をすれば突起を乗り越えて定常位置に入るが、振動などでは定常位置から移動しないような構成や、定常位置におけるガイド溝を細くして、定常位置においてはガイド部をガイド溝にはまり込んで係止されるような構成とすることができる。また、その他の部材を設けて係止するようなロック構造を採用したりすることも可能である。
【符号の説明】
【００３６】
１  壁紙糊付機
２  上部フレーム
３  上部ステー
４  壁紙裁断装置
５  フック片
５ａ  ガイド溝
６  弾性体
７  弾性狭持フック片
８  下部ピン体
９  下部ステー
１０  脱落防止ストッパー
１０ａ  ガイド部
【図１】
0006521516.tif 000002
【図２】
0006521516.tif 000003
【図３】
0006521516.tif 000004
【図４】
0006521516.tif 000005